(57)【特許請求の範囲】
【請求項１】
筐体と、
前記筐体の上部に設けられる天板と、
前記筐体内に取り付けられるグリル庫と、
前記グリル庫の上側を覆うように設けられる遮熱板と
を備えたコンロにおいて、
前記グリル庫は、
被調理物の調理空間を形成する本体部と、
前記本体部の上側に固定され、グリルバーナが取り付けられるグリルフードと
を備え、
前記遮熱板の下面には、前記グリルフードの上面に接触し、かつ前記グリルフードを下方に付勢する付勢部材が設けられていること
を特徴とするコンロ。
【請求項２】
前記付勢部材は、
前記グリルフードの前記上面のうち、前記グリルフードの下面に設けられた前記グリルバーナの炎孔部の少なくとも一部と上下方向に重なる部分に接触し、且つ下方に付勢すること
を特徴とする請求項１に記載のコンロ。
【請求項３】
前記炎孔部は、
前記グリル庫の前側に対応する位置に設けられ、左右方向に延びる第一炎孔部と、
前記グリル庫の前後方向に延びる第二炎孔部と
を備え、
前記付勢部材は、
前記グリルフードの前記上面のうち、少なくとも前記第一炎孔部と上下方向に重なる部分に接触し、且つ下方に付勢すること
を特徴とする請求項２に記載のコンロ。
【請求項４】
前記付勢部材は、板バネであって、
前記遮熱板の前記下面に固定される固定部と、
前記固定部から前記グリルフード側に斜め前方に延びる延設部と、
前記延設部の先端部に設けられ、前記グリルフードの前記上面に接触し、且つ前記グリルフードを下方に付勢する作用部と
を備えたこと
を特徴とする請求項１から３の何れかに記載のコンロ。
【請求項５】
前記付勢部材は、
前記グリルフードの前記上面における前側部分を下方に付勢すること
を特徴とする請求項１に記載のコンロ。
【発明の詳細な説明】
【技術分野】
【０００１】
本発明は、コンロに関する。
【背景技術】
【０００２】
従来、筺体内にグリル庫を設けたコンロが提供されている（例えば、特許文献１参照）。グリル庫は、被調理物を収納するユニット本体部と、該ユニット本体部の上部に固定されるグリルフードを備える。グリルフードはグリルバーナを備える。グリルバーナは、グリル庫内に収納された被調理物を上側から加熱調理する。グリルバーナは、略スロート状のスロート部と、該スロート部の下流側に設けられる平面状の燃焼部を備える。スロート部の上流側の端部は、ガス噴出用のノズルと対向する。スロート部は、ノズルから噴出されるガスと、該ガスの噴出により引き込まれる筐体内の燃焼用二次空気を管内で混合し、燃焼部に供給する。燃焼部には、複数の炎孔が形成されると共に、点火スパークを発生させる点火電極等が付設されている。それ故、スロート部から供給されたガスは、燃焼部の各炎孔において燃焼して火炎を形成する。
【先行技術文献】
【特許文献】
【０００３】
【特許文献１】特開２０１４−５４４６６号公報
【発明の概要】
【発明が解決しようとする課題】
【０００４】
グリルバーナは上記構成を備えるので、ガス燃焼時において、気温によっては、ガス等の流通に伴い、各炎孔において火炎が揺らいで振動を生じることがあり、それに起因してグリルバーナから共鳴音（響き音）が発生する可能性があった。
【０００５】
本発明の目的は、グリルバーナにおける燃焼時において、共鳴音が発生するのを防止できるコンロを提供することである。
【課題を解決するための手段】
【０００６】
請求項１に係る発明のコンロは、筐体と、前記筐体の上部に設けられる天板と、前記筐体内に取り付けられるグリル庫と、前記グリル庫の上側を覆うように設けられる遮熱板とを備えたコンロにおいて、前記グリル庫は、被調理物の調理空間を形成する本体部と、前記本体部の上側に固定され、グリルバーナが取り付けられるグリルフードとを備え、前記遮熱板の下面には、前記グリルフードの上面に接触し、かつ前記グリルフードを下方に付勢する付勢部材が設けられていることを特徴とする。
【０００７】
請求項２に係る発明のコンロは、請求項１に記載の構成に加え、前記付勢部材は、前記グリルフードの前記上面のうち、前記グリルフードの下面に設けられた前記グリルバーナの炎孔部の少なくとも一部と上下方向に重なる部分に接触し、且つ下方に付勢することを特徴とする。
【０００８】
請求項３に係る発明のコンロは、請求項２に記載の構成に加え、前記炎孔部は、前記グリル庫の前側に対応する位置に設けられ、左右方向に延びる第一炎孔部と、前記グリル庫の前後方向に延びる第二炎孔部とを備え、前記付勢部材は、前記グリルフードの前記上面のうち、少なくとも前記第一炎孔部と上下方向に重なる部分に接触し、且つ下方に付勢することを特徴とする
【０００９】
請求項４に係る発明のコンロは、請求項１から３の何れかに記載の構成に加え、前記付勢部材は、板バネであって、前記遮熱板の前記下面に固定される固定部と、前記固定部から前記グリルフード側に斜め前方に延びる延設部と、前記延設部の先端部に設けられ、前記グリルフードの前記上面に接触し、且つ前記グリルフードを下方に付勢する作用部とを備えたことを特徴とする。
【００１０】
請求項５に係る発明のコンロは、請求項１に記載の構成に加え、前記付勢部材は、前記グリルフードの前記上面における前側部分を下方に付勢することを特徴とする。
【発明の効果】
【００１１】
請求項１に係る発明のコンロでは、遮熱板に取り付けられた付勢部材が、グリルフードに取り付けられたグリルバーナを押さえ付けるように下方に付勢する。このため、共鳴音が発生する温度域になったとしても、グリルバーナから共鳴音が発生するのを防止できる。
【００１２】
請求項２に係る発明のコンロでは、請求項１に記載の効果に加え、グリル庫の燃焼用の二次空気が不足すると、炎孔部に形成される火炎が揺らぎ、その周囲に振動が生じる。共鳴音はその振動に起因する。付勢部材は、グリルフードの上面のうち、そのような炎孔部分の少なくとも一部と上下方向に重なる部分を下方に付勢して押さえ付けるので、振動を集中的に抑えることができる。
【００１３】
請求項３に係る発明のコンロでは、請求項２に記載の効果に加え、点火初期、グリルバーナのうち特に前側部分ではドラフト力が起きにくいことから、第一炎孔部において二次空気が不足し、火炎が揺らいで振動を生じ易い。そのような第一炎孔部と上下方向に重なる部分を付勢部材の弾性力で押え付けることによって、共鳴音を効果的に防止できる。
【００１４】
請求項４に係る発明のコンロでは、請求項１から３の何れかに記載の効果に加え、付勢部材は、遮熱板とグリルフードの間に配置されているので、グリルフードの熱は、付勢部材を介して遮熱板に伝わる。付勢部材の固定部は作用部の後方に配置されているので、グリルフードの熱は、ユーザ側である前側から後方に離れた位置で遮熱板に伝わるようになっている。これにより、遮熱板のうちユーザ側である前側の温度上昇を軽減できる。
【００１５】
請求項５に係る発明のコンロでは、請求項１に記載の効果に加え、点火初期、グリルバーナのうち特に前側部分ではドラフト力が起きにくいことから、炎孔部において二次空気が不足し、火炎が揺らいで振動を生じ易い。そのような前側部分を付勢部材の弾性力で押え付けることによって、共鳴音を効果的に防止できる。
【図面の簡単な説明】
【００１６】
【図１】コンロ１の斜視図である。
【図２】図１に示すＩ−Ｉ線矢視方向断面図である。
【図３】天板を省略したコンロ１の斜視図である。
【図４】グリルユニット４０の分解斜視図である。
【図５】遮熱板７０の斜視図である。
【図６】遮熱板７０の別方向の斜視図である。
【図７】遮熱板７０の底面図である。
【図８】付勢部材４１の右側面図である。
【図９】付勢部材４１の平面図である。
【図１０】付勢部材４１の斜視図である。
【図１１】グリルユニット４０における遮熱板７０周囲の拡大断面図である。
【発明を実施するための形態】
【００１７】
以下、本発明の実施形態について、図面を参照して説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１８】
図１〜図３を参照して、コンロ１の外観構造を説明する。図１，図２に示すように、コンロ１は、グリル付きテーブルコンロである。コンロ１は、筐体２と天板３を備える。筐体２は、上部が開口する略直方体状に形成されている。天板３は、平面視略矩形状に形成され、筐体２の開口する上部にネジ（図示略）で固定されている。天板３の種類は限定しないが、例えばホーロー素材等を採用できる。天板３の右側には、バーナ開口部２０１が設けられ、左側には、バーナ開口部２０２が設けられている。それらバーナ開口部２０１，２０２の夫々の内側を上下に挿通するように、右コンロバーナ５と左コンロバーナ６が設けられている。天板３の左右方向の中央部の後端側には、排気口部９が設けられている。排気口部９は、平面視左右方向に長い略矩形状に形成されている。排気口部９は、筐体２内に設置されたグリル庫５００（図２参照）内のガス燃焼によって生じた燃焼ガスを、外部に排出する。排気口部９には、複数のスリット１９１を備える安全カバー１９０が上側から装着されている。
【００１９】
図３に示すように、筐体２は、筐体２は、筐体本体部２０、前板部２４の二つの板金部材を互いに組み付け、ネジ（図示略）で固定することによって構成されている。筐体本体部２０は、前側が開口する平面視略Ｕ字形状に形成されている。筐体本体部２０は、右側板部２１、左側板部２２、後板部２３を備える。後板部２３は、右側板部２１及び左側板部２２の夫々の後端部同士を繋いでいる。そのような筐体本体部２０の開口する前側に、正面視略矩形状の前板部２４がネジで組み付けられている。
【００２０】
前板部２４の左右方向の中央部には、グリル庫５００用の開口部２５（図２参照）が設けられている。開口部２５の左右両縁部の夫々の上部には、後方に突出する係止爪（図示略）が設けられている。これら左右一対の係止爪には、後述するユニット本体部５０の右側面部５１３及び左側面部５２３に設けられたスリット５１３Ａ，５２３Ａが係止される。さらに、開口部２５の上縁部にも、後方に突出する左右一対の係止爪（図示略）が設けられている。これら一対の係止爪には、後述するグリルフード６０の上縁部６４に設けられた一対のスリット６４１，６４２（図４参照）が係止される。これにより、前板部２４に対してグリル庫５００の前側部が固定され、開口部２５の内側には、グリル庫５００の前側に設けられたグリル開口５０１（図２参照）が配置される。開口部２５には、グリル扉１０が前後方向に移動可能に設けられている。ユーザがグリル扉１０を手前側に引き出すと、グリル扉１０の背面下部に連結した受皿４（図２参照）と焼き網（図示略）を、グリル庫５００内から同時に取り出すことができる。
【００２１】
前板部２４の前面において、グリル扉１０の右側には、ツマミ１１，１２が設けられている。グリル扉１０の左側には、ツマミ１３が設けられている。ツマミ１１〜１３は押し回し式である。ツマミ１１は、右コンロバーナ５を点火する場合に、正面視反時計回りに約９０°押し回しされる。点火後は、時計回りに回動させることによって、火力が大火力から小火力に調節される。ツマミ１１を点火前の位置に戻すと、右コンロバーナ５が消火される。なお、ツマミ１２と１３の操作方法は、ツマミ１１と同じである。ツマミ１２は、グリル庫５００内に設置されるグリルバーナ６５（図２参照）を点火する場合に押し回しされる。ツマミ１３は、左コンロバーナ６を点火する為に押し回しされる。ツマミ１３の左側には、電池ボックス１５が設けられている。電池ボックス１５は、コンロ１に電源を供給する乾電池（図示略）を格納する。なお、ツマミ１１〜１３は、押し込み式のスイッチ等であってもよい。
【００２２】
図２〜図４を参照し、筐体２の内部構造を説明する。筐体２の内側における略中央部には、グリルユニット４０が設置されている（図２，図３参照）。図２，図４に示すように、グリルユニット４０は、下から順に、グリル庫５００と遮熱板７０を備える。グリル庫５００は、下から順に、ユニット本体部５０とグリルフード６０を備える。ユニット本体部５０は、上面が開口する断面略Ｕ字状の箱型に形成され、被調理物を加熱する加熱空間を形成する。グリルフード６０は、ユニット本体部５０の開口する上部を塞ぐようにネジ９１，９２（図４参照）で固定される。グリルフード６０はグリルバーナ６５を備える。遮熱板７０は、グリルフード６０の上面を覆うように隙間を空けて支持され、グリルバーナ６５から伝わる熱を遮断する。これにより、天板３の温度が過度に上昇するのを防止する。なお、ユニット本体部５０、グリルフード６０、及び遮熱板７０の各構造については後述する。
【００２３】
図３に示すように、遮熱板７０の上面の右端側（後述する位置決め部７８１）と、筐体２の右側板部２１の上端部との間には、バーナ取付台２６が略水平に渡設されている。バーナ取付台２６には、右コンロバーナ５が取り付けられている。右コンロバーナ５は、バーナ本体部１５１とスロート部１５２を備える。バーナ本体部１５１は、円環状のバーナキャップ１５４が上部に載置されることで、外周面に複数の炎孔部を形成する。スロート部１５２は、バーナ本体部１５１の側面の前側下部に接続し、前方向に延びる。スロート部１５２の前端部には、ガスを流入させる流入口１５３が設けられている。流入口１５３は、後述するガス量調節装置１８のノズル１８Ａに対向して配置されている。スロート部１５２は、ノズル１８Ａから噴出されるガスと、該ガスの噴出により引き込まれる筐体２内の空気をスロート部１５２内で混合し、バーナ本体部１５１に供給する。
【００２４】
他方、遮熱板７０の上面の左端側（後述する位置決め部７８２）と、筐体２の左側板部２２の上端部との間には、バーナ取付台２７が略水平に渡設されている。バーナ取付台２７には、左コンロバーナ６が取り付けられている。左コンロバーナ６は、バーナ本体部１６１とスロート部１６２を備える。バーナ本体部１６１は、円環状のバーナキャップ１６４が上部に載置されることで、外周面に複数の炎孔部を形成する。スロート部１６２は、バーナ本体部１６１の側面の前側下部に接続し、前方向に延びる。スロート部１６２の前端部には、ガスを流入させる流入口１６３が設けられる。流入口１６３は、後述するガス量調節装置１９のノズル１９Ａに対向して配置されている。スロート部１６２は、ノズル１９Ａから噴出されるガスと、ガスの噴出により引き込まれる筐体２内の空気をスロート部１６２内で混合し、バーナ本体部１６１に供給する。
【００２５】
前板部２４の背面側において、ツマミ１１に対応する位置には、右コンロバーナ５用のガス量調節装置１８が設けられている。ガス量調節装置１８は、ガス量調節装置１８はノズル１８Ａを備える。ノズル１８Ａは後方に突出し、右コンロバーナ５のスロート部１５２の流入口１５３に向けてガスを噴出する。ガス量調節装置１８はツマミ１１と接続し、ツマミ１１の回動量に応じてノズル１８Ａから噴出するガス量を調節する。
【００２６】
前板部２４の背面側において、ツマミ１３に対応する位置には、左コンロバーナ６用のガス量調節装置１９が設けられている。ガス量調節装置１９はノズル１９Ａを備える。ノズル１９Ａは後方に突出し、左コンロバーナ６のスロート部１６２の流入口１６３に向けてガスを噴出する。ガス量調節装置１９はツマミ１３と接続し、ツマミ１３の回動量に応じてノズル１９Ａから噴出するガス量を調節する。
【００２７】
前板部２４の背面側において、ツマミ１２に対応する位置には、グリルバーナ６５用のグリル用ガス量調節装置（図示略）が設けられている。グリル用ガス量調節装置のガス出口には、ガス配管２８の上流側端部が接続されている。ガス配管２８は後方に延び、後述するバーナ取付台２６の下方を潜って上方に折り返し、さらにグリルバーナ６５のスロート部６５１と略同一高さ位置で左方に屈曲して左方に延びている。ガス配管２８の下流側端部には、ノズル（図示略）が設けられている。該ノズルは左方に突出し、グリルバーナ６５のスロート部６５１の流入口６５３に向けてガスを噴出する。グリル用ガス量調節装置はツマミ１２と接続し、ツマミ１２の回動量に応じてノズルから噴出するガス量を調節する。
【００２８】
図４を参照し、ユニット本体部５０の構造を説明する。ユニット本体部５０は、右壁部５１、左壁部５２、底壁部５３、背壁部５４等を備える。
【００２９】
図５に示すように、右壁部５１は、右側面視略矩形状に形成されている。右壁部５１の略中央部には、凹部５１４が設けられている。凹部５１４は、左側方に向けて凹状に形成され、且つ右側面視前後方向に長い略矩形状に形成されている。凹部５１４の内側における上端部近傍には、燃焼用二次空気導入用の３つの空気孔５１５が前後方向に並んで設けられている。空気孔５１５は前後方向に延びる略直線状の細孔であり、燃焼用二次空気をグリル庫５００内に取り入れる。なお、空気孔５１５は細孔以外の形状でもよく、又は孔を集合させた開口部でもよい。このような右壁部５１を外側から覆うようにして、ダクト部８０が取り付けられる。ダクト部８０は、右壁部５１の凹部５１４との間に、燃焼用二次空気を取り入れる為の通路を形成する。
【００３０】
右壁部５１の前端部には、右側面部５１３が設けられている。右側面部５１３は、右壁部５１の前端部から右側方に突出する正面視略矩形状の板部であって、面方向が前後方向に向くように配置されている。右側面部５１３の上部には、スリット５１３Ａが設けられている。スリット５１３Ａは、上下方向に延びる細孔である。スリット５１３Ａは、前板部２４の開口部２５における右縁部の上部に設けられた係止爪（図示略）に係止される。右壁部５１の上端部には、上面部５１１が設けられている。上面部５１１は、右壁部５１の上端部から右側方に突出する平面視略帯状の板部であって、面方向が上下方向に向くように配置されている。上面部５１１には、上下方向に貫通する固定孔（図示略）が設けられている。上面部５１１には、ダクト部８０の上部に設けられた固定部８１と、グリルフード６０の後述する右縁部６２が位置決めされ、ネジ９１で固定される。
【００３１】
左壁部５２は、左側面視略形状に形成されている。左壁部５２の略中央部には、凹部５２４が設けられている。凹部５２４は、右側方に向けて凹状に形成され、且つ左側面視前後方向に長い略矩形状に形成されている。凹部５２４の内側における上端部近傍には、燃焼用二次空気導入用の３つの空気孔５２５が前後方向に並んで設けられている。空気孔５２５は前後方向に延びる略直線状の細孔である。なお、空気孔５２５は細孔以外の形状でもよく、又は孔を集合させた開口部でもよい。このような左壁部５２を外側から覆うようにして、右壁部５１側と同様に、ダクト部８０が取り付けられる。ダクト部８０は、左壁部５２の凹部５２４との間に、燃焼用二次空気を取り入れる為の通路を形成する。
【００３２】
左壁部５２の前端部には、左側面部５２３が設けられている。左側面部５２３は、左壁部５２の前端部から左側方に突出する正面視略矩形状の板部であって、面方向が前後方向に向くように配置されている。左側面部５２３の上部には、スリット５２３Ａが設けられている。スリット５２３Ａは、上下方向に延びる細孔である。スリット５２３Ａは、前板部２４の開口部２５の左縁部の上部に設けられた係止爪（図示略）に係止される。左壁部５２の上端部には、上面部５２１が設けられている。上面部５２１は、左壁部５２の上端部から左側方に突出する平面視略帯状の板部であって、面方向が上下方向に向くように配置されている。上面部５２１には、上下方向に貫通する固定孔（図示略）が設けられている。上面部５２１には、ダクト部８０の上部に設けられた固定部８１と、グリルフード６０の後述する左縁部６３が位置決めされ、ネジ９２で固定される。
【００３３】
なお、左右一対のダクト部８０は、右壁部５１と左壁部５２の夫々の外面との間に隙間を形成することで、グリルバーナ６５の燃焼によって温度が上昇する右壁部５１と左壁部５２から熱を伝わり難くすることもできる。
【００３４】
図４を参照し、グリルフード６０の構造を説明する。グリルフード６０は、平面視略矩形の板状に形成されている。グリルフード６０は、フード本体部６１、右縁部６２、左縁部６３、上縁部６４、排気筒６６等を備える。フード本体部６１は、平面視略矩形状に形成されている。フード本体部６１には、グリルバーナ６５が設けられている。グリルバーナ６５は、スロート部６５１と燃焼部６５２（図４中点線参照）を備える。
【００３５】
燃焼部６５２は、フード本体部６１の下面に設けられている。燃焼部６５２は、炎孔部６５２Ａ，６５２Ｂ，６５２Ｃと、ガス通路（図示略）を備える。炎孔部６５２Ａ，６５２Ｂ，６５２Ｃは、多数の炎孔を有し、底面視後ろ側に向けて開口する略コの字型の炎孔部を構成する。各炎孔は下方に向けて火炎を形成する。炎孔部６５２Ａは、グリルフード６０の底面前側において、左右方向に延びるように設けられている。炎孔部６５２Ｂは、グリルフード６０の底面の右側において、前後方向に延びるように設けられている。炎孔部６５２Ｃは、グリルフード６０の底面左側において、炎孔部６５２Ｂに対して略平行、且つ前後方向に延びるように設けられている。スロート部６５１は、燃焼部６５２の後端部から右方向に延びる（図３参照）。スロート部６５１の右端部には、ガスを流入させる流入口６５３が設けられている。流入口６５３は、ガス配管２８（図３参照）の下流側端部に設けられたノズル（図示略）と対向する。該ノズルは流入口６５３に向かってガスを噴出する。スロート部６５１は、ノズルから噴出されたガスと、ガスの噴出により引き込まれる筐体２内の空気を管内で混合し、燃焼部６５２に供給する。燃焼部６５２のガス通路は、スロート部６５１から供給されたガスを、炎孔部６５２Ａ，６５２Ｂ，６５２Ｃに供給する。
【００３６】
右縁部６２は、フード本体部６１の右端部から右方に向かって略水平に延設され、平面視前後方向に延びる略帯状に形成されている。右縁部６２の前後方向の略中央部には、固定孔６２１が設けられている。右縁部６２は、ユニット本体部５０の右壁部５１の上面部５１１に対し、右側のダクト部８０の固定部８１を介して配置される。さらに、右縁部６２に設けられた固定孔６２１を、上面部５１１に設けられた固定孔（図示略）に位置決めした後で、ネジ９１を上方から締結する。これにより、ユニット本体部５０の右壁部５１の上面部５１１に対し、右縁部６２が固定される。
【００３７】
左縁部６３は、フード本体部６１の左端部から左方に向かって略水平に延設され、平面視前後方向に延びる略帯状に形成されている。左縁部６３の前後方向の略中央部には、固定孔６３１が設けられている。左縁部６３は、ユニット本体部５０の左壁部５２の上面部５２１に対し、左側のダクト部８０の固定部８１を介して配置される。さらに、左縁部６３に設けられた固定孔６３１を、上面部５２１に設けられた固定孔（図示略）に位置決めした後で、ネジ９２を上方から締結する。これにより、ユニット本体部５０の左壁部５２の上面部５２１に対し、左縁部６３が固定される。
【００３８】
さらに、左縁部６３の上面の後端側には、熱電対６７と点火電極６８が固定部材６９によって固定されている。熱電対６７は前側、点火電極６８は後側に配置されている（図２参照）。熱電対６７と点火電極６８の夫々の先端部は、グリルバーナ６５の燃焼部６５２における炎孔部６５２Ｃに隣接する位置に突出するように配置されている（図４，図１１参照）。点火電極６８は、ツマミ１２の押し回し操作に基づいて点火スパークを発生させる。それ故、スロート部６５１から燃焼部６５２の炎孔部６５２Ａ，６５２Ｂ，６５２Ｃに供給されたガスは、グリル庫５００内で燃焼する。熱電対６７は、燃焼部６５２における失火を検出する。
【００３９】
上縁部６４は、フード本体部６１の前端部から垂直上方に屈曲して設けられ、面方向が前後方向に向く正面視左右方向に延びる略矩形状に形成されている。上縁部６４の右端側の上部には、左右方向に延びるスリット６４１が設けられている。上縁部６４の左端側の上部にも、左右方向に延びるスリット６４２が設けられている。スリット６４１，６４２は、前板部２４の開口部２５の上縁部に設けられた左右一対の係止爪（図示略）に係止される。
【００４０】
排気筒６６は、グリルフード６０の後部に設けられている。排気筒６６は筒状に形成され、下側から上側に向けて設けられている。排気筒６６の上端部には、平面視左右方向に長い略矩形状の開口部６６１が設けられている。開口部６６１は、天板３の後部に設けられた排気口部９の直下に配置される。グリル庫５００内の燃焼により生じた燃焼ガスは、後方に向かって流れ、排気筒６６を上方に流れる（図２中二点鎖線の矢印参照）。排気筒６６は、燃焼ガスを天板３の排気口部９に導く。
【００４１】
排気筒６６の開口部６６１の内側には、フレームトラップ１７（図２，図３参照）が取付具（図示略）によって取り付けられている。フレームトラップ１７は、略直方体の板状に構成された消炎部材であり、例えばステンレス等からなるラス網等の２枚の多孔板の両端を曲げ加工し、それを上下方向に向かい合わせて直方体の筒状に形成したものである。万が一、受皿４に溜まった油や被調理物から火炎が生じたとしても、その火炎は、排気筒６６の筒上方上流側に位置する下側の多孔板に接触して冷却される。さらに、各多孔板間には、燃焼ガスや被調理物から生じた炭酸ガスが滞留して酸素濃度が希薄になるため、火炎への酸素供給が滞る。こうした冷却効果及び酸欠効果により、フレームトラップ１７が排気筒６６内の内側にまで延びる火炎を消炎するので、天板３の排気口部９（図１，図２参照）から火炎が溢れ出すのを防止できる。
【００４２】
さらに、図３に示すように、排気筒６６の上端部には、略枠状の還流防止部材９０が固定されている。還流防止部材９０は、開口部６６１の前側縁部、右側縁部、左側縁部に沿って配置され、開口部６６１と、グリルバーナ６５のスロート部６５１の流入口６５５の間において、天板３の下面との間に生じる隙間を閉塞する。還流防止部材９０は、排気筒６６の開口部６６１から流れる燃焼ガスが、スロート部６５１付近に引き込まれて、グリルバーナ６５及び排気筒６６内を還流するのを防止する。
【００４３】
図５〜図７を参照し、遮熱板７０の構造を説明する。遮熱板７０は、金属板で構成され、平面視略矩形状、且つ正面視下側に開口する略コの字型に形成されている。遮熱板７０は、上壁部７１、右壁部７２、左壁部７３、右側固定部７４、左側固定部７５等を備え、グリルフード６０を上方から覆うことができる程度の大きさを備える。図６，図７に示すように、遮熱板７０の上壁部７１の下面には、二つの付勢部材４１，４２がネジ９５，９６で固定されている。付勢部材４１は遮熱板７０の前側部分、付勢部材４２は遮熱板７０の略中央部分に配置されている。付勢部材４１，４２は、所謂板バネであり、遮熱板７０がグリルフード６０の上方に取り付けられた状態で、グリルフード６０の上面に当接して下方に付勢する。これにより、グリルバーナ６５におけるガス燃焼時に発生する共鳴音を防止する。なお、付勢部材４１，４２の構造、グリルフード６０の上面に対する当接位置、及び共鳴音防止機能等については後述する。
【００４４】
上壁部７１は、平面部７６、傾斜部７７、周縁部７８を備える。平面部７６は、平面視略矩形状に形成され、前側の両角部はテーパ状に形成されている。傾斜部７７は、平面部７６の前縁部、右縁部、左縁部に沿って設けられ、平面視後ろ側に開口する略コの字型に形成されている。傾斜部７７は、外方に向かって下り傾斜している。周縁部７８は、傾斜部７７の下端部（外端部）に沿って設けられ、平面視後ろ側に開口する略コの字型に形成されている。周縁部７８は、傾斜部７７の下端部から外方に向かって略水平に延びている。
【００４５】
平面部７６は、ビード部７６１，７６２を備える。ビード部７６１は、平面部７６の前後方向の略中央位置にて、左右方向に延びる略帯状に形成されている。ビード部７６１は、平面部７６の左右の両端から傾斜部７７まで延びている。ビード部７６２は、平面部７６の後方位置にて、左右方向に延びる略帯状に形成されている。ビード部７６２は、平面部７６から左側に突出し、傾斜部７７まで延びている。ビード部７６１，７６２は、例えば平面部７６を反対側からプレス加工することで形成される。ビード部７６１，７６２は、平面部７６と傾斜部７７の剛性を向上する。
【００４６】
平面部７６の前側半分の領域には、中央側から右斜め前方、中央側から左斜め前方、中央側から右斜め後方、中央側から左斜め後方に夫々延びる４本のビード部７６４が設けられている。ビード部７６４も、例えば平面部７６を反対側からプレス加工することで形成される。ビード部７６４は、平面部７６の剛性を向上する。平面部７６の前側半分の領域の略中央部には、上下方向に貫通する円形状の固定孔７９１（図５参照）が設けられている。固定孔７９１には、付勢部材４１を固定する為のネジ９５が下側から締結される。固定孔７９１の右側には係止孔７６８が設けられ、左側には係止孔７６９が設けられている。係止孔７６８，７６９は、平面視左右方向に延びる略矩形状に形成されている。係止孔７６８，７６９には、付勢部材４１の後述する係止爪４５１，４５２が下側から係止される。
【００４７】
平面部７６の後ろ側半分の領域で、且つビード部７６１の長手方向中央部の近傍には、上下方向に貫通する円形状の固定孔７９２が設けられている。固定孔７９２には、後述する付勢部材４２を固定する為のネジ９６が下側から締結される。固定孔７９２の右側には係止孔７６６が設けられ、左側には係止孔７６７が設けられている。係止孔７６６，７６７は、平面視左右方向に延びる略矩形状に形成されている。係止孔７６６，７６７には、付勢部材４２の後述する係止爪４５１，４５２が下側から係止される。
【００４８】
周縁部７８の右側部の上面には、位置決め部７８１が設けられている。位置決め部７８１には、バーナ取付台２６の左端部が位置決めされる。周縁部７８の左側部の上面には、位置決め部７８２が設けられている。位置決め部７８２には、バーナ取付台２７の右端部が位置決めされる。周縁部７８の前端部には、ビード部７８３が設けられている。ビード部７８３は、左右方向に延びる略帯状に形成されている。ビード部７８３は、例えば周縁部７８を反対側からプレス加工することで形成される。ビード部７８３は、周縁部７８の前端側の剛性を向上する。
【００４９】
右側固定部７４の長手方向略中央部には、上下方向に貫通する円形状の固定孔７４１が設けられている。右側固定部７４は、グリルフード６０の右縁部６２の上面に当接し、固定孔７４１が右縁部６２に設けられた固定孔６２１に位置決めされ、ネジ９１で固定される。これにより、右側固定部７４が、グリルフード６０の右縁部６２の上面に固定される。
【００５０】
左側固定部７５の長手方向略中央部にも、上下方向に貫通する円形状の固定孔７５１（図６参照）が設けられている。左側固定部７５は、グリルフード６０の左縁部６３の上面に当接し、固定孔７５１が左縁部６３に設けられた固定孔６３１に位置決めされ、ネジ９２で固定される。これにより、左側固定部７５が、グリルフード６０の左縁部６３の上面に固定される。
【００５１】
また、付勢部材４１の後方右側角部には、略Ｌ字状の切欠き部７２１が設けられている。切欠き部７２１は、遮熱板７０をグリルフード６０の上方に取り付ける際に、グリルバーナ６５のスロート部６５１に対して上方から覆い被さるようにして配置される。左壁部７３及び左側固定部７５の後端側にも、略矩形状の切欠き部７３１（図６，図７参照）が設けられている。切欠き部７３１は、遮熱板７０をグリルフード６０の上側に取り付ける際に、熱電対６７、点火電極６８、及び固定部材６９付近に対して上方から覆い被さるようにして配置される。これにより、遮熱板７０は、グリルフード６０の上面を覆うことができる。また、上壁部７１の周縁部７８、右壁部７２、左壁部７３には、複数の流通孔７１０が夫々設けられている。複数の流通孔７１０は、遮熱板７０とグリルフード６０の間の空間に対して、筺体内の空気を流通させる。これにより、グリルフード６０の放熱を促進する。
【００５２】
図８〜図１０を参照し、付勢部材４１，４２の構造を具体的に説明する。なお、付勢部材４１，４２は互いに同一構造であるので、本実施形態では、付勢部材４１の構造を説明する。また、付勢部材４２を構成する各部分については、付勢部材４１を構成する各部分と同じ符号を付して説明する。
【００５３】
付勢部材４１は、固定部４５、傾斜延設部４６、屈曲部４７、先端部４８等を備える。固定部４５は、平面視左右方向に延びる略帯状に形成されている。固定部４５の長手方向略中央部には、上下方向に貫通する円形状の固定孔４５５が設けられている。固定部４５の後端部の右端側には、係止爪４５１が設けられ、左端側には、係止爪４５２が設けられている。係止爪４５１，４５２は側面視略Ｌ字状に形成され、固定部４５の後端部から上方にやや突出し、その上端部から後方に突出している。後方に突出した部分は、平面視左右方向に長い略矩形状に形成されている。係止爪４５１，４５２の後方に延びる先端部の両角部は、テーパ状に形成されている。傾斜延設部４６は、平面視左右方向に延びる略帯状に形成され、固定部４５の前端部から前方に対して斜め下方に延設されている。屈曲部４７は、傾斜延設部４６の下端部から斜め上方に屈曲する部分である。先端部４８は、平面視左右方向に延びる略帯状に形成され、屈曲部４７の前端部から斜め上方に延設されている。
【００５４】
図５〜図７を参照し、遮熱板７０への付勢部材４１，４２の取付構造を説明する。付勢部材４１は、上壁部７１の下面の前側部分に取り付けられている（図６，図７参照）。図５に示すように、付勢部材４１の一対の係止爪４５１，４５２は、上壁部７１の前側に設けられた係止孔７６８，７６９に対して、遮熱板７０の下側から夫々係止している。固定部４５の上面は、遮熱板７０の上壁部７１の下面に当接している（図６，図１１参照）。固定部４５の固定孔４５５は、上壁部７１の固定孔７９１（図５参照）に対して位置決めされ、固定孔４５５，７９１に対して、遮熱板７０の下側からネジ９５が締結されている。付勢部材４１は、上壁部７１の下面の前側部分から前方に対して斜め下方に延びている。
【００５５】
付勢部材４２は、上壁部７１の下面の略中央部分に取り付けられている（図６，図７参照）。図５に示すように、付勢部材４２の一対の係止爪４５１，４５２は、上壁部７１の略中央部分に設けられた係止孔７６６，７６７に対して、遮熱板７０の下側から夫々係止している。固定部４５の上面は、遮熱板７０の上壁部７１の下面に当接している（図６，図１１参照）。固定部４５の固定孔４５５は、上壁部７１の固定孔７９２（図５参照）に対して位置決めされ、固定孔４５５，７９２に対して、遮熱板７０の下側からネジ９６が締結されている。付勢部材４２は、上壁部７１の下面の略中央部分から前方に対して斜め下方に延びている。
【００５６】
図４，図６を参照し、グリルフード６０への遮熱板７０の取り付け時における付勢力発生の仕組みを説明する。先ず、遮熱板７０の付勢部材４１，４２が取り付けられた側を下方に向け、グリルフード６０の上面を覆うようにして、遮熱板７０を上方から取り付ける。このとき、遮熱板７０の右側固定部７４と左側固定部７５が、グリルフード６０の右縁部６２と左縁部６３の夫々の上面に接触する前に、付勢部材４１，４２の夫々の先端部４８（図６参照）が、グリルフード６０の上面に当接する。その状態のまま、遮熱板７０をグリルフード６０側に押し付けることによって、付勢部材４１，４２の先端部４８側が上方に押し上げられて撓む。そして、遮熱板７０の右側固定部７４と左側固定部７５を、グリルフード６０の右縁部６２と左縁部６３の夫々の上面に位置決めする。右側固定部７４の固定孔７４１が、右縁部６２の固定孔６２１に位置決めされるので、ネジ９１を締結することで、右側固定部７４が右縁部６２に固定される。他方、左側固定部７５の固定孔７５１（図６参照）が、左縁部６３の固定孔６３１に位置決めされるので、ネジ９２を締結することで、左側固定部７５が左縁部６３に固定される。これにより、遮熱板７０がグリルフード６０の上方に隙間を空けた状態で取り付けられる。この状態では、付勢部材４１，４２は撓んだ状態で、グリルフード６０の上面に当接している。よって、付勢部材４１，４２に対して、グリルフード６０の上面を下方に押し付ける付勢力を発生させることができる。
【００５７】
図４，図１１を参照し、グリルフード６０の上面に対する付勢部材４１，４２の付勢位置と、共鳴音防止効果について説明する。図１１に示すように、付勢部材４１の屈曲部４７は、グリルフード６０の上面において、グリルフード６０の下面に設けられたグリルバーナ６５の燃焼部６５２のうち、前側に位置する炎孔部６５２Ａ（図４参照）の一部と上下方向に重なる部分に接触している。上記の通り、グリルバーナ６５は、スロート部６５１の内部にガスが噴出されると共に、燃焼用二次空気が引き込まれて管内で混合され、燃焼部６５２の炎孔部６５２Ａ〜６５２Ｃからガスと燃焼用二次空気の混合ガスを噴出して燃焼させる構成を採用している。それ故、グリルバーナ６５におけるガス燃焼時において、気温によっては、ガス等の流通に伴い、炎孔部６５２Ａ〜６５２Ｃの各炎孔において火炎が揺らぎ振動を生じることがある。特に、グリルバーナ６５の点火初期においては、グリルバーナ６５のうち、特に前側部分ではドラフト力が起きにくい。それ故、特に炎孔部６５２Ａにおいては、燃焼用二次空気が不足することによって、火炎が揺らぐことから振動を生じ易い状態となる。そのような部分を、付勢部材４１の弾性力で押え付けることによって、炎孔部６５２Ａに発生する振動を低減できるので、共鳴音の発生を効果的に防止できる。
【００５８】
また、付勢部材４２の屈曲部４７及び先端部４８は、グリルフード６０の上面において、グリルフード６０の下面に設けられたグリルバーナ６５の略中央部分であって、炎孔部６５２Ｂと６５２Ｃの間の部分に接触している。これにより、グリルバーナ６５の燃焼部６５２の前側のみならず、燃焼部６５２全体を押さえ付けることができる。よって、炎孔部６５２Ａのみならず、炎孔部６５２Ｂ，６５２Ｃにおける火炎の揺らぎに起因する振動も低減できるので、共鳴音をより効果的に防止できる。
【００５９】
また、付勢部材４１，４２は、遮熱板７０とグリルフード６０の間に配置されているので、グリルフード６０の熱は、付勢部材４１，４２を介して遮熱板７０に伝わる。そして、付勢部材４１，４２の夫々の固定部４５は、屈曲部４７及び先端部４８の後方に配置されているので、グリルフード６０の熱は、ユーザ側である前側から後方に離れた位置で遮熱板７０に伝わるようになっている。これにより、遮熱板７０のうちユーザ側である前側の温度上昇を軽減できるので、安全性の高いコンロ１を提供できる。
【００６０】
以上説明において、付勢部材４１，４２が本発明の「付勢部材」の一例である。炎孔部６５２Ａが本発明の「第一炎孔部」の一例であり、炎孔部６５２Ｂ，６５２Ｃが本発明の「第二炎孔部」の一例である。付勢部材４１の傾斜延設部４６が本発明の「延設部」の一例であり、屈曲部４７及び先端部４８が本発明の「作用部」の一例である。
【００６１】
以上説明したように、本実施形態のコンロ１は、筐体２、天板３、グリル庫５００、及び遮熱板７０等を備える。グリル庫５００は、筐体２内に取り付けられる。グリル庫５００は、ユニット本体部５０とグリルフード６０を備える。グリルフード６０は、グリルバーナ６５を備える。遮熱板７０は、グリルフード６０の上側を覆うように設けられる。遮熱板７０は、グリルバーナ６５から伝わる熱を遮断することで、天板３の温度が過度に上昇するのを防止する。遮熱板７０の下面には、付勢部材４１，４２が設けられている。付勢部材４１，４２は、グリルフード６０の上面に接触し、且つグリルフード６０を下方に付勢する。これにより、共鳴音が発生する温度域になったとしても、グリルバーナ６５から共鳴音が発生するのを防止できる。
【００６２】
なお、本発明は上記実施形態に限定されるものではなく、種々の変更が可能である。例えば、上記実施形態のコンロ１はグリル付きテーブルコンロであるが、ビルトインタイプのコンロであってもよい。また、コンロ１は、右コンロバーナ５と左コンロバーナ６の２つのコンロバーナを備えるが、コンロバーナの数は２つに限らず、１つでもよく、３つ以上であってもよい。
【００６３】
また、上記実施形態の遮熱板７０は、下面に二つの付勢部材４１，４２を固定しているが、何れか一方だけでもよく、さらに付勢部材を追加して固定してもよい。また、付勢部材４１は、燃焼部６５２のうち、前側部分に設けられた炎孔部６５２Ａと上下方向に重なる部分と接触しているが、グリルフード６０の上面であれば何処に接触していてもよく、好ましくは、炎孔部６５２Ａ〜６５２Ｃのうち少なくとも一部と上下方向に重なる部分に接触させるのがよい。さらに好ましくは、上記実施形態のように、炎孔部６５２Ａと上下方向に重なる部分と接触させるのがよいが、グリルフード６０の前側部分であれば、炎孔部６５２Ａと上下方向に重なる部分でなくてもよい。
【００６４】
また、上記実施形態の付勢部材４１，４２は、板バネで構成しているが、グリルフード６０に一定以上の圧力をかけられるものであれば、板バネ以外の部材でもよく、例えば、コイル状のバネや、樹脂製の部材等であってもよい。また、付勢部材４１，４２の形状についても、図８に示す形状に限定されない。また、付勢部材４１，４２は、固定部４５が先端部４８の後方に配置されるように取り付けられているが、自由に変更可能である。
【００６５】
また、上記実施形態のグリルバーナ６５の燃焼部６５２は、グリルフード６０の下面に、底面視略コの字型の炎孔部６５２Ａ〜６５２Ｃを備えるが、炎孔部６５２Ａ〜６５２Ｃの配置形状については、上記実施形態に限定されない。
【００６６】
また、上記実施形態において、ユニット本体部５０、グリルフード６０、遮熱板７０等に設けられる固定孔の数、位置等については、自由に変更可能である。
【符号の説明】
【００６７】
１      コンロ
２      筐体
３      天板
４０      グリルユニット
４１，４２    付勢部材
４５      固定部
４６      傾斜延設部
４７      屈曲部
４８      先端部
５０      ユニット本体部
６０      グリルフード
６５      グリルバーナ
７０      遮熱板
５００      グリル庫
６５２Ａ〜６５２Ｃ    炎孔部
【図１】
0006660788.tif 000002
【図２】
0006660788.tif 000003
【図３】
0006660788.tif 000004
【図４】
0006660788.tif 000005
【図５】
0006660788.tif 000006
【図６】
0006660788.tif 000007
【図７】
0006660788.tif 000008
【図８】
0006660788.tif 000009
【図９】
0006660788.tif 000010
【図１０】
0006660788.tif 000011
【図１１】
0006660788.tif 000012